(57)【要約】      （修正有）【課題】簡単な作業で屋根用設置物を屋根の上に確実に固定できる取付け具および取付け具を用いた取付け方法を提供する。【解決手段】屋根板材の重合連結部を左右に挟んで起立する一対の側板１、２と、上面を屋根用設置物の受面３ａとする天板３と、天板３および側板１、２の連結部分を起点とする曲げ変形にて側板１、２を相互近接させる引き寄せボルト４ａと、側板１、２の下端内周壁にそれぞれ一体連結し、相互近接にて先端部を屋根板材の重合連結部に当接させて重合連結部を挟持する一対の挟持片５、６とを備えて、取付け具を構成する。天板３に、屋根用設置物の固定用連結ボルトを通過させる少なくとも一つの窓孔７を形成し、天板３と側板１、２とによって取り囲まれた空間領域に、固定用連結ボルトに係合可能なナットＮを保持し、ナットＮの係合面を窓孔７に望ませるホルダー８を配置する。【選択図】図５
2015214846.tif 000002
【特許請求の範囲】
【請求項１】
屋根板材と屋根用設置物との相互間に配置され、該屋根用設置物を該屋根板材に固定保持する取付け具であって、
該屋根板材の重合連結部を左右に挟んで起立する一対の側板と、
該側板の各上端部につながり、その上面を該屋根用設置物の受面とする天板と、該側板の相互間に跨って配置され、該天板および該側板の連結部分を起点とする曲げ変形にて該側板を相互近接させる引き寄せボルトと、該側板の下端内周壁にそれぞれ一体連結し、該側板の相互近接にてその先端部を該屋根板材の重合連結部に当接させて該重合連結部を挟持する一対の挟持片とを備え、
該天板に、該屋根用設置物の固定用連結ボルトを通過させる少なくとも一つの窓孔を形成し、
該天板と該側板とによって取り囲まれた空間領域に、該固定用連結ボルトに係合可能なナットを保持し、かつ該ナットの係合面を該窓孔に望ませるホルダーを配置したことを特徴とする屋根用設置物の取付け具。
【請求項２】
前記ホルダーは、前記ナットを回転不能に入れ込む凹部または開口を有し、前記天板と協働して該ナットを挟持するホルダー本体と、該ホルダー本体につながり、前記引き寄せボルトのボルト胴体部分の少なくとも二カ所に接触して該ホルダー本体の、該側板に沿う動きおよび上下における動きを規制するストッパーとからなることを特徴とする請求項１記載の屋根用設置物の取付け具。
【請求項３】
前記側板は、壁部の少なくとも一部分を内向きに張り出させた張出部を有し、前記ホルダーは、該張出部の張り出し端に連係して該ホルダーの、該側板に沿う動きを規制する凸部を有することを特徴とする請求項１または２に記載した屋根用設置物の取付け具。
【請求項４】
前記側板は、その最下端に、該側板の外側に向けてそれぞれ折り返され、前記屋根板材の外表面に接地する底板を有することを特徴とする請求項１〜３のいずれか１に記載した屋根用設置物の取付け具。
【請求項５】
前記一対の側板は、前記天板との連結部分に一またはそれ以上の切欠き部または開口を有することを特徴とする請求項１〜４のいずれか１に記載した屋根用設置物の取付け具。
【請求項６】
請求項１〜５のいずれか１に記載した取付け具を用いて屋根用設置物を建築構造物の屋根に取り付ける方法において、
前記ナットを保持したホルダーを予め前記空間領域に配置しておくとともに、前記一対の側板の相互間に前記屋根板材の重合連結部を位置させた状態で前記引き寄せボルトの締め込みにより該側板を相互に近接させるとともに前記挟持片にて該屋根板材の重合連結部を挟持し、次いで、前記天板の受け面に前記屋根用設置物を載置、位置決めしたのち、前記固定用連結ボルトを備えた当て板を屋根用設置物の上に配置して該固定用連結ボルトを、前記窓孔を通してナットにねじ込むことを特徴とする屋根用設置物の取付け具を用いた屋根用設置物の取付け方法。
【発明の詳細な説明】
【技術分野】
【０００１】
本発明は、太陽電池パネルや太陽熱温水器等の屋根用設置物を建築構造物の屋根に固定するための取付け具およびその取付け具を用いた屋根用設置物の取付け方法に関するものである。
【背景技術】
【０００２】
太陽電池パネル等の屋根用設置物は、建築構造物の屋根の屋根板材に取付け具を設け、その取付け具を介して固定するのが一般的である。
【０００３】
かかる取付け具として、例えば、特許文献１には、取付金具本体を、ソーラパネル等の屋根用設置物の端部が載置される載置片と、載置片の両端部に対向して設けられ、折板屋根の山部の両側傾斜にそれぞれ凹設された係止凹所に係止される係止突部を有する一対の挟持片と、この挟持片を近接方向に締め付ける締付け手段とで構成し、この取付金具本体の上面に載置された屋根用設置物の端部を、押さえ部材で上から押圧して保持するようにした構造のものが提案されている。
【０００４】
また、特許文献２には、折板屋根の馳部上に鋼材やチャンネルハンガー等を支持する支持金具として、馳部の下端部に略水平に当接する挟着片と、この挟着片から略垂直に屈曲延長されて緊締ボルトを挿通する連結片と、この連結片の上部から略水平に屈曲延長されて馳部の上方で部材を載置支持する重合片とからなる側面コ字状をなす挟着体を一対形成し、この挟着体の挟着片相互間に馳部の下端部を挟着し、緊締ボルトと緊締ナットで緊締した連結片の上部で重合片を重合し、この重合片の上部に部材を固定するようにした構造のものが、さらに、特許文献３には、上辺部と中辺部と下辺部とからなる第１コの字状部材と第２コの字状部材とを備えた取付具につき、第１コの字状部材に雌ねじ孔を形成し、第２コの字状部材に第１締結具を挿通する長孔を形成し、該第１コの字状部材の上辺部の下に第２コの字状部材の上辺部を重合させた配置姿勢のもとに、該第２コの字状部材を該第１コの字状部材に近接、離隔する向きにスライドさせるように構成したものが提案されている。
【先行技術文献】
【特許文献】
【０００５】
【特許文献１】特開２０００−２３４４２３号公報
【特許文献２】特開２０００−３３６８５７号公報
【特許文献３】実用新案登録第３１２３８８５号公報
【０００６】
ところで、上記従来の取付け具は、取付け具本体と、屋根用設置物とを、複数本の連結ボルトを介して止め付けているのが普通であるところ、上記文献に開示のものは、いずれも、連結ボルトの先端部が上向きとなるように配置され、その部位にナットをねじ込むことにより屋根用設置物を固定する構造であることから、とくに一般住宅のような比較的高さの低い建築構造物の屋根にあっては、連結ボルトの先端部が露出せざるを得ず、見栄えがよいとはいえないものでありデザイン面での配慮がなされていないのが現状であった。
【０００７】
このような不具合の解決策としては、例えば、取付け具を構成する部材そのものに雌めじを形成しておき、この部位に連結ボルトをねじ込むか、あるいは、取付け具にナットを溶接等によって接合してそのナットに連結ボルトをねじ込んで屋根用設置物を固定することが考えられてはいるものの、取付け具を構成する部材そのものに雌ねじを形成する場合にあっては、所望の強度を確保するために板厚を厚くせざるを得ないこともあり（径の大きな連結ボルトを用いる場合等）、材料、金型にかかる費用が増加しコストの上昇を招く不具合があった。
【０００８】
一方、ナットを溶接等によって取付け具に接合する場合には、溶接の際の熱影響により取付け具の表面に予め施してある表面処理層（溶融亜鉛めっき層等）にダメージを与えてしまうことから、その機能を回復のため溶接後に耐食性を有する塗料を別途に塗布（ジンクリッチペイント）するめんどうな作業が必要となり効率的な製造が行えない不利があるうえ、耐食性の塗料を塗布したとしてもその完全な回復は困難であった。
【発明の概要】
【発明が解決しようとする課題】
【０００９】
本発明の課題は、取付け具そのものの板厚増加を招いたり、耐食性の低下を引き起こす溶接等による熱的ダメージを与えることなしに連結ボルトを取付け具にねじ込んで屋根用設置物を屋根に固定できる取付け具およびその取付け具を用いた取付け方法を提案するところにある。
【課題を解決するための手段】
【００１０】
本発明は、屋根板材と屋根用設置物との相互間に配置され、該屋根用設置物を該屋根板材に固定保持する取付け具であって、該屋根板材の重合連結部を左右に挟んで起立する一対の側板と、該側板の各上端部の少なくとも一部分につながり、その上面を該屋根用設置物の受面とする天板と、該側板の相互間に跨って配置され、該天板および該側板の連結部分を起点とする曲げ変形にて該側板を相互近接させる引き寄せボルトと、該側板の下端内周壁にそれぞれ一体連結し、該側板の相互近接にてその先端部を該屋根板材の重合連結部に当接させて該重合連結部を挟持する一対の挟持片とを備え、該天板に、該屋根用設置物の固定用連結ボルトを通過させる少なくとも一つの窓孔を形成し、該天板と該側板とによって取り囲まれた空間領域に、該固定用連結ボルトに係合可能なナットを保持し、かつ該ナットの係合面を該窓孔に望ませるホルダーを配置したことを特徴とする屋根用設置物の取付け具である。
【００１１】
上記の構成からなる屋根用設置物の取付け具においては、前記ホルダーを、前記ナットを回転不能に入れ込む凹部または開口を有し、前記天板と協働して該ナットを挟持するホルダー本体と、該ホルダー本体につながり、前記引き寄せボルトのボルト胴体部分の少なくとも二カ所に接触して該ホルダー本体の、該側板に沿う動きおよび上下における動きを規制するストッパーとからなるもので構成するのが好ましい。
【００１２】
また、前記側板は、壁部の少なくとも一部分を内向きに張り出させた張出部を有し、前記ホルダーは、該張出部の張り出し端に連係して該ホルダーの、該側板に沿う動きを規制する凸部を有することが、また、前記側板は、その最下端に、該側板の外側に向けてそれぞれ折り返され、前記屋根板材の外表面に接地する底板を有することが、具体的解決手段として好ましい。
【００１３】
また、本発明は、取付け具を用いて屋根用設置物を建築構造物の屋根に取り付ける方法において、前記ナットを保持したホルダーを予め前記空間領域に配置しておくとともに、前記一対の側板の相互間に前記屋根板材の重合連結部を位置させた状態で前記引き寄せボルトの締め込みにより該側板を相互に近接させるとともに前記挟持片にて該屋根板材の重合連結部を挟持し、次いで、前記天板の受け面に前記屋根用設置物を載置、位置決めしたのち、前記固定用連結ボルトを備えた当て板を屋根用設置物の上に配置して該固定用連結ボルトを、前記窓孔を通してナットにねじ込む点にも特徴を有している。
【発明の効果】
【００１４】
本発明の屋根用設置物の取付け具によれば、取付け具を、屋根板材の重合連結部を左右に挟んで起立する一対の側板と、該側板の各上端部の少なくとも一部分につながり、その上面を該屋根用設置物の受面とする天板と、該側板の相互間に跨って配置され、該天板および該側板の連結部分を起点とする曲げ変形にて該側板を相互近接させる引き寄せボルトと、該側板の下端内周壁にそれぞれ一体連結し、該側板の相互近接にてその先端部を該屋根板材の重合連結部に当接させて該重合連結部を挟持する一対の挟持片とを備え、該天板に、該屋根用設置物の固定用連結ボルトを通過させる少なくとも一つの窓孔を形成し、該天板と該側板とによって取り囲まれた空間領域に、該固定用連結ボルトに係合可能なナットを保持し、かつ該ナットの係合面を該窓孔に望ませるホルダーを配置したため、連結ボルトの先端部を下向きにして屋根用設置物を固定することが可能となり、見栄えが損なわれることがなくなる。
【００１５】
また、連結ボルトに係合するナットは、専用のホルダーにて保持されているため、取付け具の厚さが増すような不具合が生じたり、取付け具の耐食性に影響を与える溶接等を行う必要もない。
【００１６】
また、本発明の屋根用設置物の取付け具によれば、ホルダーを、ナットを回転不能に入れ込む凹部または開口を有し、天板と協働して該ナットを挟持するホルダー本体と、該ホルダー本体につながり、前記引き寄せボルトのボルト胴体部分の少なくとも二カ所に接触して該ホルダー本体の、該側板に沿う動きおよび上下における動きを規制するストッパーとからなるもので構成したため、比較的簡素化された構造のもとで屋根用設置物を簡便かつ確実に固定できる。
【００１７】
また、本発明の屋根用設置物の取付け具によれば、側板に、壁部の少なくとも一部分を内向きに張り出させた張出部を設け、ホルダーに、該張出部の張り出し端に連係して該ホルダーの、該側板に沿う動きを規制する凸部を形成したため、ホルダーを空間領域に配置する際に、ホルダーを簡単に、しかも正確に位置決めすることができる。
【００１８】
また、側板の最下端に、該側板の外側に向けてそれぞれ折り返され、前記屋根板材の外表面に接地する底板を設けたことにより、取付け具を屋根板材に固定する際の設置姿勢が安定する。
【００１９】
また、本発明の屋根用設置物の取付け方法によれば、ナットを保持したホルダーを予め空間領域内に配置して仮組しておき、一対の側板の相互間に屋根板材の重合連結部を位置させ、引き寄せボルトを締め込むだけで取付け具の、屋根板材への固定が可能であり、また、取付け具の固定後に、天板の受け面に屋根用設置物を載置し固定用連結ボルトを備えた当て板を屋根用設置物の上に配置して該固定用連結ボルトを、窓孔を通してナットにねじ込むだけで屋根用設置物を取付け具に固定することができ、迅速な施工が可能となる。
【図面の簡単な説明】
【００２０】
【図１】本発明に従う取付け具の実施の形態をその正面について模式的に示した図である。
【図２】図１に示した取付け具につき、引き寄せボルトのナットを締め込んで連結部位を曲げ変形させて相互に近接させた状態を示した図である。
【図３】図２の平面を示した図である。
【図４】図３のＡ−Ａ線に沿った断面を示した図である（ナットは断面表示せず）。
【図５】図２に示した取付け具の外観斜視図である。
【図６】（ａ）〜（ｃ）は、ホルダーの平面、正面および側面を示した図である。
【図７】図６（ａ）〜（ｃ）に示したホルダーの外観斜視図である。
【図８】立平葺き屋根の外観斜視図を一部分について示した図である。
【図９】引き寄せボルトの外観斜視図である。
【図１０】図３を一部断面で表示した図である。本発明に従う取付け具の固定と、屋根用設置物の取付け状態を示した図である。
【図１１】本発明に従う取付け具を使用して屋根用設置物を固定した状態を示した図である。
【図１２】図１１のＢ−Ｂ線に沿う断面を示した図である（連結ボルト、ナット、ハゼ部については断面表示せず）。
【図１３】屋根用設置物の取付け前の状態を示した外観斜視図である。
【図１４】本発明に従う取付け具の配置状態と、屋根用設置物と当て板の位置関係を示した図である。
【００２１】
以下、図面を参照して、本発明をより具体的に説明する。
図１は、本発明に従う屋根用設置物の取付け具（金属製）の実施の形態を、その正面について仮組み状態（ホルダーおよび引き寄せボルトを取付けた状態）で模式的に示した図である。また、図２は、引き寄せボルトを締め込んだ状態の正面を示した図であり、図３は、図２の平面を示した図であり、図４は、図３のＡ−Ａ線に沿う断面を示した図であり、図５は、図２に示した取付け具の外観を斜視図で示した図である。また、図６（ａ）〜（ｃ）は、ホルダーの平面、正面および側面を示した図であり、図７は、図６に示したホルダーの外観を斜視図で示した図である。
【００２２】
本発明の取付け具は、図８に示すような立平葺き屋根に適用して好適なものである。かかる立平葺き屋根は、幅方向の両端部においてそれぞれ立ち上がり、その立ち上がり部位の上端にハゼ部（上ハゼ、下ハゼ）を一体的に設けた屋根板材につき、該屋根板材を横並び配列（屋根の軒方向に沿う配列）にして屋根板材同士をハゼ部において相互に重合（嵌合）、連結して構成されたものであり、本発明において、屋根板材の重合連結部とは、上記ハゼ部において上ハゼと下ハゼがスプリングバック機構により相互に嵌合して屋根板材同士がつながっている部位をいうものとする。
【００２３】
なお、本発明に従う取付け具は、厚さが１．０〜３．２ｍｍ程度になるステンレス鋼板や溶融亜鉛めっき鋼板等の金属部材（板材）をプレス成形、張出成形することによって構成されたものを適用することができる。
【００２４】
図１〜８における符号１、２は、屋根板材同士が相互につながっている重合連結部を左右に挟んで起立する一対の側板である。この側板１、２には、その略中央部分に後述する引き寄せボルトを通すための貫通孔がそれぞれ設けられている。貫通孔のうち、引き寄せボルトの頸部が嵌まり込む貫通孔は該頚部に設けられた矩形状の凸部に適合することができるように矩形状に成形されている。
【００２５】
また、３は、側板１、２の各上端部にそれぞれ一体的につながる天板である。
この天板３には、その上面に受面３ａを有しており、この受面３ａに太陽電池パネルの如き屋根用設置物を載置する。
【００２６】
また、４は、側板１、２の貫通孔に配置された引き寄せボルトである。この引き寄せボルト４は、図９に示すように、胴体部分に雄ねじが形成されたボルト本体４ａと、胴体部分の雄ねじに係合可能な雌ねじが形成されたナット４ｂから構成されている。
【００２７】
ボルト本体４ａの頭部と胴体部分とをつなぐ頚部には、該引き寄せボルト４が貫通孔に通されたときに該貫通孔に適合可能な矩形状の凸部４ｃが形成されていて、この凸部４ｃによってナット４ｂの締め込みに際してボルト本体４ａが貫通孔内で供回りするのを防止ししている。
【００２８】
ボルト本体４ａをナット４ｂに係合させて締め込むことにより、図２に示すように天板３と側板１、２の連結部位１ａ、２ａを支点にして側板１、２が相互に接近するように回転する。
【００２９】
引き寄せボルト４によって、側板１、２は、連結部位１ａ、２ａを支点とする曲げ変形による回転に加えて、側板自身の弾性的な変形を誘発させて元の姿勢に復帰する向きへの復元力を発生させることも可能であり、これによりナット４ｂの緩み止め効果を発揮させることができる。
【００３０】
また、符号５、６は、側板１、２の幅方向中央部の内壁下端に一体連結（折り曲げ成形でもよい）した、片持ち支持になる舌片状の挟持片である。この挟持片５、６は、その先端部が向かい合うように設けられており、引き寄せボルト４により側板１、２を曲げ変形させたときその先端部が屋根板材の重合連結部の側面（くびれ部の側面）に当接して該重合連結部をその両側から挟み込むものであって、これにより、取付け具は、屋根材に強固に固定される。挟持片５、６は、側板１、２につながる板片を曲げ加工することにより成形される。
【００３１】
また、符号７は、天板３に設けられ、屋根用設置物の固定用連結ボルトＣ（図１１〜１３参照）を通すための窓孔、８は、天板３と側板１、２とによって取り囲まれた空間領域に配置されるホルダーである。
【００３２】
ホルダー８は、固定用連結ボルトＣに係合可能なナットＮを保持しつつナットＮの係合面を窓孔７に望ませるものであって、図６（ａ）〜（ｃ）に示すように、ナットＮを回転不能に入れ込む開口８ａを有し天板３と協働してナットＮを挟持するホルダー本体８ｂと、このホルダー本体８ａにつながり、引き寄せボルト４のボルト本体４ａの胴体部分の少なくとも二カ所に接触（図４参照）して該ホルダー本体８ａの、側板１、２に沿う動きおよび上下における動きを規制する一対のストッパー８ｃとから構成されている（図６（ａ）〜（ｃ）参照）。
【００３３】
ナットＮを回転不能に入れ込むものとして開口８ａを適用する場合、通常のナットを用いるとナットＮは開口８ａから抜け落ちることからナットＮの縁部にフランジＮ１を有するものを用いる。開口８を凹部とした場合、ナットＮは凹部の底壁で受け止めることが可能でありフランジＮ１は省略することができる。
【００３４】
ホルダー本体８ｂとしては、具体的には、ナットＮを回転不能に入れ込む凹部または開口（六角孔）８ａが形成され、天板３の裏面に沿う面（平行な面）を有する板状体８ｂ１と、この板状体８ｂ１の端縁において吊り下げ保持される一対の垂下片８ｂ２、８ｂ３とからなる溝型断面を有するものを適用することが可能であり、また、ストッパー８ｃとしては、該垂下片８ｂ２、８ｂ３の下端において内向きにそれぞれ片持ち支持され、それらの少なくとも先端部を各々同様に反り上がらせてその相互間に引き寄せボルト４の胴体部分の二カ所に接触する接触面を形成する一対の舌片８ｃ１、８ｃ２からなるものを適用することができる。なお、ホルダー８は、ナットＮの保持機構と開口８ａに対する位置決め機構を有していればとくに問題はなく、図示のような構造に限定されることはない。
【００３５】
一対の舌片８ｃ１、８ｃ２の下面が引き寄せボルト４の胴体部分に接触する図４に示す状態では、ホルダー８の、側板１、２に沿う動き（図中Ｘ方向の動き）と上下における動き(Ｙ方向の動き)が規制され、ナットＮの係合面（雌ねじが形成されている面）が図５に示すように窓孔７に位置することになる。
【００３６】
また、図における符号９は、側板１、２の壁部の一部分をプレス成形等により内向きに張り出させた張出部である。この張出部９によって、側板１、２の板厚を増加させることなしに側板１、２自体の剛性を高めることができる。膨出部９は、外向きに張り出させた張出部とすることもできる。
【００３７】
さらに、１０ａ〜１０ｈは、ホルダー８の両端部に設けられた凸部である。この凸部１０ａ〜１０ｈは、ホルダー本体８ｂの板状体８ｂ１および一対の舌片８ｃ１、８ｃ２の幅寸法Ｗ、Ｗ１（図６（ｂ）参照）をそれぞれホルダー８の端部を除いて幅狭とするか、あるいは該端部を外方に向け突出させることによって形成されるものであって、ホルダー８を、天板３と側板１、２によって形成される空間領域に配置したとき、凸部１０ａ〜１０ｈが、図１０に示すように張出部９の張出端９ａ、９ｂに当接して、ホルダー８の、側板１、２に沿う動き（図中Ｘ方向の動き）が規制されることになる。
【００３８】
また、１１、１２は、側板１、２の最下端に設けられた底板である。この底板１１、１２は、側板１、２の外側に向けてそれぞれ折り返されており、この底板１１、１２が屋根板材の外表面に接地し、取付け具の設置姿勢を安定化する。
【００３９】
１３は、側板１、２と天板３との連結部分に設けられた切欠き部、１４は、側板１、２と天板３との連結部分に設けられた開口である（図１、図３、図５参照）。切欠き部１３、開口１４は、引き寄せボルト４により側板１、２を相互に引き寄せる際に、連結部分での曲げ変形をより容易可能ならしめ、かつ、左右均等に発生させるために設けられるものであって、これにより、比較的小さな締め込み力で屋根板材の連結部位を挟持片５、６によって挟み込むことができる。さらには、金具本体の傾き防止、および屋根材くびれ部への挟持片５、６の当接高さの適正化も可能になる。図示の例では、切欠き部１３を天板３の四隅に設け、開口１４を、切欠き部１３の中間の対向位置に２つ設けたものについて示したが、切欠き部１３、開口１４の個数は、任意に変更できるものであって、図示のものに限定されることはない。
【００４０】
本発明の実施の形態では、単一の引き寄せボルト４を用いることによって側板１、２でハゼ部を挟持する場合について示したが、該引き寄せボルト４は、複数本用いることが可能であり、この場合、側板１、２には、引き寄せボルト４を通す貫通孔が複数設けられることとなる。貫通孔の形状は円形状のものを適用することができるが長孔状のものを適用してもよい。
【００４１】
図１１、図１２は、上記の構成からなる取付け具を屋根板材の重合連結部に固定して、その取付け具の受け面３ａに屋根用設置物Ｍを配置した状態を模式的に示した図であり、図１３は、屋根用設置物Ｍの取付け前の状態を示した外観斜視図である。また、図１４は、取付け具の配置状態と屋根用設置物、当て板の位置関係を示した図である。
【００４２】
本発明の取付け具を用いて太陽電池パネルの如き屋根用設置物Ｍを設置するには、ホルダー８の開口８ａにナットＮを配置するとともに、該ホルダー８を天板３と側板１、２とによって取り囲まれた空間領域に配置し、次いで、側板１、２に設けられた貫通開孔に引き寄せボルト４を挿通させて仮組する（図１参照）。
【００４３】
この状態で、ホルダー８の凸部１０ａ〜１０ｈは、図１０に示す如く張出部９の張出端（段差部）９ａ、９ｂに連係する一方、ホルダー８のストッパー８ｃは、図４に示すように引き寄せボルト４のボルト胴体部分の二カ所に接触して該ホルダー本体８ａの、側板１、２に沿う動き（Ｘ方向への動き）および上下の動きが規制されることになり、ホルダー８に保持されたナットＮの係合面は窓孔７に位置することとなる。
【００４４】
次いで、側板１、２の相互間に屋根板材の重合連結部が位置するように取付け具を屋根板材の上に配置するとともに、引き寄せボルト４に係合させたナット４ｂ締め込む。このナット４ｂの締め込みにより側板１、２は相互に接近し挟持片５、６によって屋根板材の重合連結部が挟持され、取付け具が固定されることになる。
【００４５】
取付け具は、図１４に示すように、屋根用設置物の配置面積に応じて屋根板材の複数個所に適宜設けられるものであって、その他の取付け具に関しても上記同様の要領で固定される。
【００４６】
取付け具の設置、固定が完了したならば、図１３に示すように、屋根用設置物Ｍを、天板３の受け面３ａに載置するとともに、受け面３ａに置かれた屋根用設置物Ｍの上に所定の幅、所定の長さになる当て板１５を配置して、該当て板１５と取付け金具の受け面３ａとの間で屋根用設置物Ｍを挟み込むとともに、該当て板１５に設けられた長孔１５ａに連結ボルトＣを差し入れ、該連結ボルトＣの先端部をホルダー８に保持されたナットＮにねじ込めばよく、これにより、屋根用設置物Ｍは、取付け具に固定される。当て板１５の形状は、図１３に示したような長尺形状に限定されることはなく、矩形、円盤状のような平面的な形状や立体的に形状でもよい。
【００４７】
屋根用設置物Ｍが取付け具に固定された状態では、図１１、図１２に示すように連結ボルトＣの頭部のみが露出することとなり、見栄えが損なわれることはない。
【００４８】
本発明に従う取付け具は、当て板１５、引き寄せボルト４を除けば、基本的には、側板１、２、天板３および挟持片５、６を備えた門型部材と、ホルダー８の２部材で構成されることから構造の複雑化を伴うことはない。また、ホルダー８を、予め空間領域に配置して仮組状態としておくことにより（図１に示すような状態）、引き寄せボルト４のナット４ｂを締め込むだけの簡単な作業で取付け具を固定することができるため、迅速な施工が可能となる。
【産業上の利用可能性】
【００４９】
本発明によれば、太陽電池パネル等の屋根用設置物を、簡便、かつ確実に固定することが可能であり、しかも、該屋根用設置物の取付けに際して連結ボルトの先端部が外部へ露出することがないため見栄えもよい（デザイン面で優れる）。
【００５０】
また、本発明によれば、取付け具を構成する部材の数が少なくてすみ、屋根用設置物を固定する作業を効率的に行うことができる。
【符号の説明】
【００５１】
１      側板
１ａ    連結部位
２      側板
２ａ    連結部位
３      天板
３ａ    受面
４      引き寄せボルト
４ａ    ボルト本体
４ｂ    ナット
４ｃ    凸部
５      挟持片
６      挟持片
７      窓孔
８      ホルダー
８ａ    開口
８ｂ    ホルダー本体
８ｃ    ストッパー
９      張出部
９ａ    張出端
９ｂ    張出端
１０ａ〜１０ｈ  凸部
１１、１２  底板
１３    切欠き部
１４    開口
１５    当て板
１５ａ  長孔
Ｃ      固定用連結ボルト
Ｎ      ナット
Ｎ１    フランジ
Ｍ      屋根用設置物
【図１】
2015214846.tif 000003
【図２】
2015214846.tif 000004
【図３】
2015214846.tif 000005
【図４】
2015214846.tif 000006
【図５】
2015214846.tif 000007
【図６】
2015214846.tif 000008
【図７】
2015214846.tif 000009
【図８】
2015214846.tif 000010
【図９】
2015214846.tif 000011
【図１０】
2015214846.tif 000012
【図１１】
2015214846.tif 000013
【図１２】
2015214846.tif 000014
【図１３】
2015214846.tif 000015
【図１４】
2015214846.tif 000016